(57)【要約】【課題】高出力を実現することができ、放熱特性に優れた多重入出力アンテナ装置を提供する。【解決手段】多重入出力アンテナ装置は、前面に複数のアンテナ素子が配列されたアンテナ基板と、前面に電気的駆動によって発熱する複数の第１発熱素子、および後面に電気的駆動によって発熱する複数の第２発熱素子が備えられ、前記アンテナ基板に対して離隔空間を有するように配置された送受信モジュール基板とを含み、前記複数の第１発熱素子から発熱した熱は前記送受信モジュール基板の前方に放熱され、前記複数の第２発熱素子から発熱した熱は前記送受信モジュール基板の後方に放熱されるように備えられることにより、放熱性能を極大化させることができるという利点を提供する。【選択図】図１
2021520140.tif 000002
【特許請求の範囲】
【請求項１】
前面に複数のアンテナ素子が配列されたアンテナ基板と、
前面に電気的駆動によって発熱する複数の第１発熱素子、および後面に電気的駆動によって発熱する複数の第２発熱素子が備えられ、前記アンテナ基板に対して離隔空間を有するように配置された送受信モジュール基板とを含み、
前記複数の第１発熱素子から発熱した熱は前記送受信モジュール基板の前方に放熱され、前記複数の第２発熱素子から発熱した熱は前記送受信モジュール基板の後方に放熱される多重入出力アンテナ装置。
【請求項２】
前記離隔空間に配置され、前記アンテナ基板のアンテナ素子および前記送受信モジュール基板の前記第１発熱素子を信号連結する複数のＲＦエアラインをさらに含む、請求項１に記載の多重入出力アンテナ装置。
【請求項３】
前記複数の第１発熱素子から発生した熱を放熱させるための前方放熱部と、
前記複数の第２発熱素子から発生した熱を放熱させるための後方放熱部とをさらに含む、請求項１に記載の多重入出力アンテナ装置。
【請求項４】
前記前方放熱部は、
前記送受信モジュール基板の前面が密着するように配置され、前方に複数のメイン放熱フィンが突出して備えられた前方放熱本体と、
前記前方放熱本体を貫通するように配置され、一端部が前記送受信モジュール基板の前記第１発熱素子の少なくとも一部と密着し、他端部に前記第１発熱素子から伝導された熱を外部に放熱させる複数のサブ放熱フィンが備えられた複数の前方単位放熱体とを含む、請求項３に記載の多重入出力アンテナ装置。
【請求項５】
前記複数の前方単位放熱体は、前記複数のサブ放熱フィンが前記離隔空間に露出する、請求項４に記載の多重入出力アンテナ装置。
【請求項６】
前記複数の前方単位放熱体は、
前記第１発熱素子のいずれか１つに接触するように前記前方放熱本体に結合させる結合部と、
前記結合部を介して伝導された熱を前記離隔空間に伝達させる伝導部と、
前記伝導部の外周に積層式で離隔具備された前記複数のサブ放熱フィンとを含む、請求項４に記載の多重入出力アンテナ装置。
【請求項７】
前記後方放熱部は、
前記送受信モジュール基板の後面が密着するように配置され、後方に複数のメイン放熱フィンが突出して備えられた後方放熱本体と、
前記後方放熱本体を貫通するように配置され、一端部が前記送受信モジュール基板の前記第２発熱素子の少なくとも一部と密着し、他端部に前記第２発熱素子から伝導された熱を外部に放熱させる複数のサブ放熱フィンが備えられた複数の後方単位放熱体とを含む、請求項３に記載の多重入出力アンテナ装置。
【請求項８】
前記複数のメイン放熱フィンは、
左側から前記後方放熱本体の上下中心線に向かって上向き傾斜して配置された左側放熱フィン部と、
右側から前記後方放熱本体の上下中心線に向かって上向き傾斜して配置された右側放熱フィン部とを含む、請求項７に記載の多重入出力アンテナ装置。
【請求項９】
前記複数の後方単位放熱体は、
前記第２発熱素子のいずれか１つに接触するように前記後方放熱本体に結合させる結合部と、
前記結合部を介して伝導された熱を前記後方放熱本体の外部に相当する外部空間に伝達させる伝導部と、
前記伝導部の外周に積層式で離隔具備された前記複数のサブ放熱フィンとを含む、請求項７に記載の多重入出力アンテナ装置。
【請求項１０】
前記複数のサブ放熱フィンは、前記外部空間へいくほど放熱面積が減少するように形成された、請求項９に記載の多重入出力アンテナ装置。
【請求項１１】
前記後方放熱本体には、前記結合部が結合される結合ホールが形成された、請求項９に記載の多重入出力アンテナ装置。
【請求項１２】
前記送受信モジュール基板は、
前記複数の第２発熱素子の一部が実装され、前記後方放熱部の左側部位に上下方向に長く配置された第１送受信基板と、
前記複数の第２発熱素子の一部が実装され、前記後方放熱部の右側部位に上下方向に長く配置された第２送受信基板と、
前記複数の第２発熱素子の残りの一部が実装され、前記第１送受信基板および前記第２送受信基板の間に上下方向に長く配置された第３送受信基板とを含む、請求項７に記載の多重入出力アンテナ装置。
【請求項１３】
前記後方放熱本体には、前記第３送受信基板の前記複数の第２発熱素子が収容される収容溝部が上下方向に長く形成された、請求項１２に記載の多重入出力アンテナ装置。
【請求項１４】
前記複数のメイン放熱フィンが形成された前記後方放熱本体の外側面には、前記収容溝部が前記後方放熱本体の内側面から外側面に向かって突出して陥没形成された放熱排気リブが備えられた、請求項１３に記載の多重入出力アンテナ装置。
【請求項１５】
前記放熱排気リブは、三角形の頂点を有する水平断面を有するように形成され、
前記複数のメイン放熱フィンは、前記放熱排気リブの頂点まで延長形成された、請求項１４に記載の多重入出力アンテナ装置。
【請求項１６】
前記複数のメイン放熱フィンは、
左側から前記放熱排気リブの頂点に向かって上向き傾斜して配置された左側放熱フィン部と、
右側から前記放熱排気リブの頂点に向かって上向き傾斜して配置された右側放熱フィン部とを含み、
前記左側放熱フィン部と前記右側放熱フィン部を流動する熱は前記放熱排気リブを介して外部に排気される、請求項１５に記載の多重入出力アンテナ装置。
【発明の詳細な説明】
【技術分野】
【０００１】
本発明は、多重入出力アンテナ装置（ＭＵＬＴＩ  ＩＮＰＵＴ  ＡＮＤ  ＭＵＬＴＩ  ＯＵＴＰＵＴ  ＡＮＴＥＮＮＡ  ＡＰＰＡＲＡＴＵＳ）に関し、より詳しくは、無線通信用多重入出力アンテナ装置に関する。
【背景技術】
【０００２】
無線通信技術、例えば、ＭＩＭＯ（Ｍｕｌｔｉｐｌｅ  Ｉｎｐｕｔ  Ｍｕｌｔｉｐｌｅ  Ｏｕｔｐｕｔ）技術は、複数のアンテナを用いてデータ伝送容量を画期的に増加させる技術であって、送信機ではそれぞれの送信アンテナを介して互いに異なるデータを伝送し、受信機では適切な信号処理により送信データを区分するＳｐａｔｉａｌ  ｍｕｌｔｉｐｌｅｘｉｎｇ手法である。
【０００３】
したがって、送受信アンテナの個数を同時に増加させることによりチャネル容量が増加してより多くのデータを伝送可能にする。例えば、アンテナ数を１０個に増加させると、現在の単一アンテナシステムに比べて同じ周波数帯域を用いて約１０倍のチャネル容量を確保する。
【０００４】
４Ｇ  ＬＴＥ−ａｄｖａｎｃｅｄでは８個のアンテナまで用いており、現在、ｐｒｅ−５Ｇ段階で６４または１２８個のアンテナを装着した製品が開発されており、５Ｇでははるかに多い数のアンテナを有する基地局装備が用いられると予想され、これをＭａｓｓｉｖｅ  ＭＩＭＯ技術という。現在のＣｅｌｌ運営が２−Ｄｉｍｅｎｓｉｏｎであるのに対し、Ｍａｓｓｉｖｅ  ＭＩＭＯ技術が導入されると３Ｄ−Ｂｅａｍｆｏｒｍｉｎｇが可能になるので、ＦＤ−ＭＩＭＯ（Ｆｕｌｌ  Ｄｉｍｅｎｓｉｏｎ）とも呼ぶ。
【０００５】
Ｍａｓｓｉｖｅ  ＭＩＭＯ技術では、ＡＮＴの数字が増えるにつれ、これによるｔｒａｎｓｍｉｔｔｅｒとＦｉｌｔｅｒの数字も一緒に増加する。それにも、設置場所のリース費用や空間的な制約によって、ＲＦ部品（Ａｎｔｅｎｎａ／Ｆｉｌｔｅｒ／Ｐｏｗｅｒ  Ａｍｐｌｉｆｉｅｒ／Ｔｒａｎｓｃｅｉｖｅｒ  ｅｔｃ．）を小さくて軽く、安価に作ることが、Ｍａｓｓｉｖｅ  ＭＩＭＯはＣｏｖｅｒａｇｅ拡張のためには高出力が必要になるが、このような高出力による消耗電力と発熱量は重量およびサイズを減少させるのに否定的な要因として作用する。
【０００６】
特に、ＲＦ素子とデジタル素子が実現されたモジュールが積層構造で結合されたＭＩＭＯアンテナを限られた空間に設ける時、設置容易性や空間活用性を極大化するためにＭＩＭＯアンテナを構成する複数のレイヤに対するコンパクト化および小型化設計の必要性が浮上し、この場合、複数のレイヤに実装された通信部品で発生する熱に対する新たな放熱構造に関する設計が要求される。
【発明の概要】
【発明が解決しようとする課題】
【０００７】
本発明の目的は、高出力を実現することができ、放熱特性に優れた多重入出力アンテナ装置を提供することである。
【課題を解決するための手段】
【０００８】
上記の目的を達成するための、本発明の一実施例による多重入出力アンテナ装置は、前面に複数のアンテナ素子が配列されたアンテナ基板と、前面に電気的駆動によって発熱する複数の第１発熱素子、および後面に電気的駆動によって発熱する複数の第２発熱素子が備えられ、前記アンテナ基板に対して離隔空間を有するように配置された送受信モジュール基板とを含み、前記複数の第１発熱素子から発熱した熱は前記送受信モジュール基板の前方に放熱され、前記複数の第２発熱素子から発熱した熱は前記送受信モジュール基板の後方に放熱される。
【発明の効果】
【０００９】
本発明によれば、発熱量が多い発熱素子を選択的に集中して外部により効率的な放熱性能を有するように放熱できる効果を有することはもちろん、製品を小型化することにより、５Ｇ多重入出力アンテナ装置の追加設置が容易であるという効果を有する。
【図面の簡単な説明】
【００１０】
【図１】本発明の一実施例による多重入出力アンテナ装置の前方部を示す斜視図である。
【図２】本発明の一実施例による多重入出力アンテナ装置の後方部を示す斜視図である。
【図３】図１の多重入出力アンテナ装置の前方部の分解斜視図である。
【図４】図２の多重入出力アンテナ装置の後方部の分解斜視図である。
【図５Ａ】本発明による多重入出力アンテナ装置の構成のうち一側放熱部および他側放熱部を示す前方部の分解斜視図である。
【図５Ｂ】本発明による多重入出力アンテナ装置の構成のうち一側放熱部および他側放熱部を示す後方部の分解斜視図である。
【図６】本発明による多重入出力アンテナ装置の前方および後方への放熱の様子を説明するための多様な部位の断面を示す図である。
【図７】本発明による多重入出力アンテナ装置の前方および後方への放熱の様子を説明するための多様な部位の断面を示す図である。
【図８】本発明による多重入出力アンテナ装置の前方および後方への放熱の様子を説明するための多様な部位の断面を示す図である。
【図９Ａ】本発明による多重入出力アンテナ装置の構成のうちＢＢ  ｂｏａｒｄおよびその放熱構造を示す前方部の分解斜視図である。
【図９Ｂ】本発明による多重入出力アンテナ装置の構成のうちＢＢ  ｂｏａｒｄおよびその放熱構造を示す後方部の分解斜視図である。
【図１０】図９Ａの結合された状態におけるＤ−Ｄ線に沿った断面図およびその部分拡大図である。
【図１１】図１の構成のうち取付ブラケットの結合の様子を示す分解斜視図である。
【図１２Ａ】取付ブラケットの構成のうち水平回動ブラケットと上下回動ブラケットによるロテーティングおよびティルティングの様子を示す平面図である。
【図１２Ｂ】取付ブラケットの構成のうち水平回動ブラケットと上下回動ブラケットによるロテーティングおよびティルティングの様子を示す側面図である。
【発明を実施するための形態】
【００１１】
以下、本発明の多重入出力アンテナ装置の一実施例を、添付した図面を参照して詳しく説明する。
【００１２】
図１および図２は、本発明の一実施例による多重入出力アンテナ装置の前方部および後方部を示す斜視図であり、図３および図４は、図１および図２のアンテナ装置の前方部の分解斜視図および後方部の分解斜視図である。
【００１３】
本発明による多重入出力アンテナ装置１の一実施例は、図示しない電源供給モジュールから電源が供給され、内蔵された無線送受信モジュールを介して外部端末または基地局と無線通信することができる。本発明の一実施例によるアンテナ装置１は、ＭＩＭＯ（Ｍｕｌｔｉ  Ｉｎｐｕｔ  Ｍｕｌｔｉ  Ｏｕｔｐｕｔ）無線通信アンテナシステムに関連する。
【００１４】
より詳しくは、本発明による多重入出力アンテナ装置１の一実施例は、前面に複数のアンテナ素子１３が配列されたアンテナ基板１１と、前面に電気的駆動によって発熱する複数の第１発熱素子、および後面に電気的駆動によって発熱する複数の第２発熱素子が備えられ、アンテナ基板１１に対して離隔空間を有するように配置された送受信モジュール基板１１０とを含む。
【００１５】
以下、本発明を理解するにあたり混線を防止するために、後述するアンテナ取付支柱が備えられた方向は「後方」と定義し、逆に後述するレドーム５が備えられた方向を「前方」と定義し、アンテナ取付支柱に、実質的に本発明による多重入出力アンテナ装置１の一実施例が固定されたと仮定して各方向を定義して説明する。ただし、これは説明の便宜および理解の混線を防止するためのものに過ぎず、これによって本発明の権利範囲が制限されてはならない。
【００１６】
アンテナ基板１１は、図１〜図４に示すように、アンテナハウジング１０の内部に収容されるが、アンテナ基板１１に収容されたアンテナ素子１３が前方に露出して収容配置される。アンテナ基板１１に実装される通信部品は、前記複数のアンテナ素子１３だけでなく、マルチバンドフィルタ（Ｍｕｌｔｉ−Ｂａｎｄ  Ｆｉｌｔｅｒ：ＭＢＦ）も実装できる。
【００１７】
アンテナ基板１１の前方部には、レドーム５がカバーリングするように配置される。このようなレドーム５は、アンテナ素子１３からまたはアンテナ素子１３に伝播される無線信号が透過する材質からなり、例えば、電気絶縁性プラスチックからなってもよい。
【００１８】
本発明の一実施例による多重入出力アンテナ装置１では、レドーム５が最前方に備えられると定義して説明する。
【００１９】
一方、レドーム５とアンテナハウジング１０のサイズはほぼ同一に形成されるが、アンテナハウジング１０に収容されるアンテナ基板１１に対比される比率で形成される。好ましくは、本発明による多重入出力アンテナ装置１の一実施例では、５Ｇにおいて追加的に後述するアンテナ取付支柱に設けられる時、上下の長さによる予め設置された、または追って設置されるべき他のアンテナ装置１との設置干渉が減少するように、アンテナ基板１１は、上下幅の長さより左右幅の長さがより大きい長方形に形成される。
【００２０】
図１〜図４に示すように、本発明による多重入出力アンテナ装置１の一実施例は、アンテナアセンブリがＲＦ素子とデジタル素子が実現されたモジュールがそれぞれ積層構造で結合された形態を取る。例示されたアンテナアセンブリの主要モジュールは、３つのレイヤ（Ｌａｙｅｒ）に区分される。
【００２１】
第１レイヤである前記アンテナ基板１１には、キャリブレーションネットワークが実現された印刷回路基板（Ｐｒｉｎｔｅｄ  Ｃｉｒｃｕｉｔ  Ｂｏａｒｄ：ＰＣＢ）として、前面に複数のアンテナ素子１３が配置され、後面に複数のマルチバンドフィルタ（Ｍｕｌｔｉ−Ｂａｎｄ  Ｆｉｌｔｅｒ：ＭＢＦ）が実装される。
【００２２】
一方、第２レイヤである送受信モジュール基板１１０は、第１レイヤとの間に上述した所定の離隔空間を有するように信号結合される。送受信モジュール基板１１０の前面には、上述した複数のアンテナ素子１３と信号連結された複数のＲＦＩＣ１２５が実装される。ここで、複数のＲＦＩＣ１２５を含む複数の通信部品は、電気的に作動する時、所定の熱を発生させる発熱素子であって、ここでは「複数の第１発熱素子」と定義することができる。
【００２３】
同時に、送受信モジュール基板１１０の後面には、アナログ／デジタル変換器から変換されたデジタル信号を受けて、基底帯域信号に変換するなどのデジタル信号処理動作を行う複数のＦＰＧＡ１１５が実装される。また、送受信モジュール基板１１０の後面には、パワー増幅器（Ｐｏｗｅｒ  Ａｍｐｌｉｆｉｅｒ：ＰＡ）などのアナログプロセッシング回路が実現され、アナログプロセッシング回路に含まれた各パワー増幅器は、上述したＭＢＦとＲＦインターフェースを介して電気的に連結される。そして、送受信モジュール基板１１０の後面には、デジタルプロセッシング回路が実現され、パワーサプライユニット（ＰＳＵ）が実装される。デジタルプロセッシング回路は、基地局ＢＢＵ（Ｂａｓｅ  Ｂａｎｄ  Ｕｎｉｔ）から受信されるデジタル信号をアナログＲＦ信号に変換し、アンテナから受信されるアナログＲＦ信号をデジタル信号に変換して基地局ＢＢＵに伝送する機能を行う。
【００２４】
ここで、複数のＦＰＧＡ１１５およびパワーサプライユニットは、上記の複数の第１発熱素子と同じく、電気的に作動する時、所定の熱を発生させる発熱素子であって、以下、「複数の第２発熱素子」と定義することができる。
【００２５】
本発明による多重入出力アンテナ装置１の一実施例では、アンテナ基板１１の全体形状において上下幅を減少させるように設計することで、５Ｇにおける追加的なアンテナ装置１の設置を容易にする利点を提供する。
【００２６】
また、本発明による多重入出力アンテナ装置１の一実施例では、送受信モジュール基板１１０に集積された各種通信部品を、放熱が容易となるように、送受信モジュール基板１１０の前面および後面に分散配置するが、送受信モジュール基板１１０の前面に備えられた第１発熱素子から発熱した熱は送受信モジュール基板１１０の前方に放熱させ、送受信モジュール基板１１０の後面に備えられた第２発熱素子から発熱した熱は送受信モジュール基板１１０の後方に放熱させるように構成される。
【００２７】
特に、送受信モジュール基板１１０の前面の第１発熱素子から発熱した熱をその前方部に配置されたアンテナ素子１３との影響を最小化できるように、アンテナ基板１１と送受信モジュール基板１１０は、上述のように所定の離隔空間を有するように配置し、前記離隔空間に第１発熱素子から発熱した熱を放熱させることができる。
【００２８】
図５Ａおよび図５Ｂは、本発明による多重入出力アンテナ装置の構成のうち一側放熱部および他側放熱部を示す前方部の分解斜視図および後方部の分解斜視図であり、図６は、図１のＡ−Ａ線に沿った断面図であり、図７は、図１のＢ−Ｂ線に沿った断面図であり、図８は、図１のＣ−Ｃ線に沿った断面図である。
【００２９】
本発明による多重入出力アンテナ装置１の一実施例は、図５Ａおよび図５Ｂに示すように、アンテナ基板１１と送受信モジュール基板１１０は、離隔空間に配置された前方放熱部２０によって区画できる。ここで、前方放熱部２０は、金属材質で備えられる。このように前方放熱部２０が金属材質で備えられる場合、送受信モジュール基板１１０に備えられた複数の通信部品と、前方のアンテナ基板１１に配置された複数のアンテナ素子１３との間の電波からの影響を最小化することができる。
【００３０】
一方、本発明による多重入出力アンテナ装置１の一実施例は、図５Ａおよび図５Ｂに示すように、送受信モジュール基板１１０の外側には、後方放熱部３０がカバーリングするように配置される。したがって、送受信モジュール基板１１０は、前面側に備えられた第１発熱素子と接触するように前方放熱部２０が配置され、後面側に備えられた第２発熱素子と接触するように後方放熱部３０が配置される。
【００３１】
ここで、前方放熱部２０は、離隔空間に配置される。このように、前方放熱部２０は、離隔空間に配置されることにより、アンテナ基板１１と送受信モジュール基板１１０との間の離隔した空間である離隔空間そのものを満たすように備えられる。しかし、離隔空間のすべてを満たすことは、実質的に前方放熱部２０の放熱に関与できる外部空気の流入を遮断して放熱性能が低下しうるので、前方放熱部２０の前端とアンテナ基板１１が収容されたアンテナハウジング１０との間がある程度離隔するように備えられることが好ましい。
【００３２】
後方放熱部３０は、送受信モジュール基板１１０を中心に上述した離隔空間に対向する外側空間に配置される。すなわち、後方放熱部３０は、送受信モジュール基板１１０の他面を完全にカバーリングするように配置される。
【００３３】
前方放熱部２０は、図５Ａおよび図７に示すように、送受信モジュール基板１１０の前面が密着するように配置され、前方に複数のメイン放熱フィン２３が突出して備えられた前方放熱本体２１と、前方放熱本体２１を貫通するように配置され、一端部が送受信モジュール基板１１０の第１発熱素子の少なくとも一部と密着し、他端部に第１発熱素子から伝導された熱を外部に放熱させる複数のサブ放熱フィン４３が備えられた複数の前方単位放熱体４０とを含むことができる。
【００３４】
以下、後述する後方放熱部３０の各構成との区別のために、前方放熱本体２１に備えられた「メイン放熱フィン」は、「前方メイン放熱フィン２３」と区分して称し、前方単位放熱体４０に備えられた「サブ放熱フィン」は、「前方サブ放熱フィン４３」と区分して称する。
【００３５】
複数の前方メイン放熱フィン２３は、第１発熱素子から前方放熱本体２１に伝達された熱を、流入する外部空気と熱交換して放熱させる役割をする。したがって、前方放熱本体２１は、熱伝導が容易な金属材質で備えられるとともに、複数の前方メイン放熱フィン２３も、熱伝導が容易な金属材質で備えられる。
【００３６】
ここでの複数の前方メイン放熱フィン２３は、前方放熱本体２１の前面に形成され、例えば、前方放熱本体２１と一体に成形される。しかし、本発明はこれに限定されず、複数の前方メイン放熱フィン２３は、別の部材として作製され、前方放熱本体２１の前面上に熱伝導性接着剤で接着されるか、またはボルトのような別の締結部材で固定されてもよい。
【００３７】
一方、複数の前方単位放熱体４０は、複数の第１発熱素子、特に後述のように、複数のアンテナ素子１３と信号連結されたＲＦＩＣ１２５から発熱する前方放熱本体２１とは別個に、上述した離隔空間に放熱させる役割をする。
【００３８】
本発明の一実施例による多重入出力アンテナ装置１は、特に、第１発熱素子の中で発熱量が多い通信部品のうちＲＦＩＣ１２５から発熱した熱を個別的に放熱させる構造を採用する。これによって、前方放熱本体２１の放熱性能とは関係なく、複数のＲＦＩＣ１２５から発熱した熱をより迅速に放熱することができる。
【００３９】
一方、前方放熱本体２１の前面に形成された複数の前方メイン放熱フィン２３は、上側に向かって傾斜して配置される。すなわち、図５Ａおよび図５Ｂの図面上、本発明による多重入出力アンテナ装置１の一実施例は上下方向に配置されるが、離隔空間に外部空気が容易に流入するように、複数の前方メイン放熱フィン２３は、上下方向への空気流路を有するように形成されることが好まれる。さらに、本発明による多重入出力アンテナ装置１の一実施例は、前記離隔空間への外部空気の流入量がさらに増加するように複数の前方メイン放熱フィン２３が上向き傾斜して配置されて、前方放熱本体２１の下側だけでなく、側部からも外部空気の流入が容易である。
【００４０】
このような複数の前方メイン放熱フィン２３は、図面上、左側から前方放熱本体２１の上下中心線に向かって上向き傾斜して配置された左側放熱フィン部と、右側から前方放熱本体２１の上下中心線に向かって上向き傾斜して配置された右側放熱フィン部とを含むことができる。
【００４１】
すなわち、複数の前方メイン放熱フィン２３は、左側放熱フィン部および右側放熱フィン部の２グループに形成されるが、前方放熱本体２１の左側部からは左側放熱フィン部を介して外部空気が流入して流動するが、前方放熱本体２１の前面中間方向に上向き流動し、前方放熱本体２１の右側部からは右側放熱フィン部を介して外部空気が流入して流動するが、前方放熱本体２１の前面中間方向に上向き流動する。
【００４２】
ここで、前方放熱本体２１の前面中間方向に集まった両側の熱交換空気は、左側放熱フィン部および右側放熱フィン部の間空間である上側に吐出できる。
【００４３】
一方、複数の前方単位放熱体４０は、図７に示すように、一端部は、前方放熱本体２１に固定され、他端部は、アンテナ基板１１が収容されたアンテナハウジング１０の後面に固定される。
【００４４】
より詳しくは、複数の前方単位放熱体４０は、前記一端部として第１発熱素子のいずれか１つに接触するように前方放熱本体２１に結合させる結合部４１と、結合部４１を介して伝導された熱を離隔空間に伝達させる伝導部４２と、伝導部４２の外周に積層式で離隔具備された複数のサブ放熱フィン４３とを含むことができる。伝導部４２の先端は、前記他端部としてアンテナハウジング１０の後面に固定される。
【００４５】
一方、複数の前方サブ放熱フィン４３は、放熱面積がすべて同一に形成される。これは、複数の前方サブ放熱フィン４３の放熱面積が異なると、一部の前方サブ放熱フィン４３が複数の前方メイン放熱フィン２３を覆うか、オーバーラップされるように配置されることが可能なため、放熱性能の増加値が大きくないからである。
【００４６】
同時に、複数の前方単位放熱体４０は、複数の前方サブ放熱フィン４３が離隔空間に露出できる。すなわち、複数の前方単位放熱体４０の前後の長さは、前方放熱本体２１に一端部が結合されるが、他端部が前方放熱本体２１に形成された前記複数の前方メイン放熱フィン２３より離隔空間にさらに突出する大きさに形成される。このように、複数の前方単位放熱体４０は、その一部が複数の前方メイン放熱フィン２３の端部分とアンテナハウジング１０との間の離隔空間に露出することで、より迅速な放熱が行われる。
【００４７】
前方放熱本体２１には、上述した複数の前方単位放熱体４０の結合部４１が結合される結合ホール（図示せず）が形成される。複数の前方単位放熱体４０の結合部４１は、前方放熱本体２１の結合ホール３７を貫通して第１発熱素子の少なくともいずれか１つの発熱面に密着して配置される。この時、結合部４１は、結合ホールにねじ締結方式で結合できる。
【００４８】
しかし、前方放熱本体２１に対する前方単位放熱体４０の結合方式がねじ締結方式によって限定されるものではない。すなわち、複数の前方単位放熱体４０は、第１発熱素子の発熱面に密着して結合される限度で、図示しないものの、複数の前方単位放熱体４０の結合部４１の外周面に雄ねじ山が形成され、前方放熱本体２１の結合ホール３７の内周面に雌ねじ山が形成されて、単純な回転結合方式による結合も可能であることは当然というべきである。
【００４９】
図９Ａおよび図９Ｂは、本発明による多重入出力アンテナ装置の構成のうちＢＢ  ｂｏａｒｄおよびその放熱構造を示す前方部および後方部の分解斜視図であり、図１０は、図９Ａの結合された状態におけるＤ−Ｄ線に沿った断面図およびその部分拡大図である。
【００５０】
本発明による多重入出力アンテナ装置１の一実施例は、図５Ａおよび図５Ｂに示すように、送受信モジュール基板１１０の後面は、後方放熱部３０によってカバーリングできる。すなわち、後方放熱部３０は、送受信モジュール基板１１０の後面を遮蔽することにより、外部の汚染物質などから送受信モジュール基板１１０を保護する役割をする。
【００５１】
ここで、後方放熱部３０は、熱伝導性に優れた金属材質で備えられる。ただし、熱伝導性に優れた材質であればいかなる材質で備えられても構わないが、後方放熱部３０の材質がこれに限定されるものではない。
【００５２】
送受信モジュール基板１１０は、上述のように、前面側に備えられた第１発熱素子から発熱した熱は前方放熱部２０によって離隔空間に放熱され、後面側に備えられた第２発熱素子から発熱した熱は後方放熱部３０によって外側空間に放熱されるように備えられる。
【００５３】
後方放熱部３０は、図５Ｂおよび図８に示すように、送受信モジュール基板１１０の後面が密着するように配置され、後方に複数のメイン放熱フィン（以下、前方放熱部２０の「前方メイン放熱フィン」との区分のために「後方メイン放熱フィン３３」と称する）が突出して備えられた後方放熱本体３１と、後方放熱本体３１を貫通するように配置され、一端部が送受信モジュール基板１１０の第２発熱素子の少なくとも一部と密着し、他端部に第２発熱素子から伝導された熱を外部に放熱させる複数のサブ放熱フィン（以下、前方放熱部２０の「前方サブ放熱フィン４３」との区分のために「後方サブ放熱フィン５３」と称する）が備えられた複数の後方単位放熱体５０とを含むことができる。
【００５４】
複数の後方メイン放熱フィン３３は、第２発熱素子から後方放熱本体３１に伝達された熱を外部空気と熱交換して放熱させる役割をする。したがって、前方放熱本体２１と同じく、後方放熱本体３１は、熱伝導が容易な金属材質で備えられると同時に、複数の後方メイン放熱フィン３３も、熱伝導が容易な金属材質で備えられる。
【００５５】
ここでの複数の後方メイン放熱フィン３３は、後方放熱本体３１の後面に形成され、例えば、後方放熱本体３１と一体に成形できることはもちろん、複数の後方メイン放熱フィン３３は、別の部材として作製され、後方放熱本体３１の後面上に熱伝導性接着剤で接着されるか、またはボルトのような別の締結部材で固定されてもよい。
【００５６】
一方、複数の後方単位放熱体５０は、複数の第２発熱素子、特に後述のように、後方放熱本体３１とは別個に、複数の第２発熱素子から発熱した熱を外側空間に放熱させる役割をする。
【００５７】
特に、本発明の一実施例による多重入出力アンテナ装置１は、特に、第２発熱素子の中で発熱量が多い通信部品のうち複数のＦＰＧＡ１１５から発熱した熱を個別的に放熱させる構造を採用する。ここで、複数のＦＰＧＡ１１５は、アナログ／デジタル変換器から変換されたデジタル信号を受けて、基底帯域信号に変換するなどのデジタル信号処理動作を行う部品である。これによって、後方放熱本体３１の放熱性能とは関係なく、発熱量が比較的多いＦＰＧＡ１１５から発熱した熱をより迅速に放熱することができる。
【００５８】
一方、後方放熱本体３１の後面に形成された複数の後方メイン放熱フィン３３は、複数の前方メイン放熱フィン２３と同じく、上側に向かって傾斜して配置される。また、本発明による多重入出力アンテナ装置１の一実施例は、複数の後方メイン放熱フィン３３は、前記複数の後方メイン放熱フィン３３の内部への外部空気の流入量がさらに増加するように上向き傾斜して配置される。したがって、後方放熱本体３１の下側だけでなく、側部からも外部空気の流入が容易である利点を有する。
【００５９】
このような複数の後方メイン放熱フィン３３は、図５Ｂの図面上、左側から後方放熱本体３１の上下中心線に向かって上向き傾斜して配置された左側放熱フィン部３４と、右側から後方放熱本体３１の上下中心線に向かって上向き傾斜して配置された右側放熱フィン部３５とを含むことができる。
【００６０】
すなわち、複数の後方メイン放熱フィン３３は、左側放熱フィン部３４および右側放熱フィン部３５の２グループに形成されるが、後方放熱本体３１の左側部からは左側放熱フィン部３４を介して外部空気が流入して流動するが、後方放熱本体３１の前面中間方向に上向き流動し、後方放熱本体３１の右側部からは右側放熱フィン部３５を介して外部空気が流入して流動するが、後方放熱本体３１の前面中間方向に上向き流動する。
【００６１】
ここで、後方放熱本体３１の前面中間方向に集まった両側の熱交換空気は、左側放熱フィン部３４および右側放熱フィン部３５が相互接する地点である、後述する放熱排気リブ３６から外側空間に吐出できる。
【００６２】
一方、複数の後方単位放熱体５０は、図５Ｂおよび図８に示すように、一端部は、後方放熱本体３１に固定され、他端部は、後述するアンテナ取付ブラケットと結合される。
【００６３】
より詳しくは、複数の後方単位放熱体５０は、前記一端部として第２発熱素子のいずれか１つに接触するように後方放熱本体３１の後面に結合させる結合部５１と、結合部５１を介して伝導された熱を外側空間に伝達させる伝導部５２と、伝導部５２の外周に積層式で離隔具備された複数の後方サブ放熱フィン５３とを含むことができる。伝導部５２の先端は、前記他端部としてアンテナ取付ブラケットに固定される。
【００６４】
一方、複数の後方サブ放熱フィン５３は、その放熱面積が外部空間へいくほど次第に減少するように形成される。これは、後方放熱本体３１、すなわち第２発熱素子から近い後方サブ放熱フィン５３の面積を、さらに遠距離に備えられた後方サブ放熱フィン５３の面積よりも大きく設計することで、より迅速に第２発熱素子から伝導された熱を放熱させるためである。
【００６５】
同時に、複数の後方単位放熱体５０は、後方放熱本体３１に形成された前記複数の後方メイン放熱フィン３３より外側空間にさらに突出する大きさに形成される。これは、後方メイン放熱フィン３３によって後述するアンテナ取付ブラケットとの結合時に設置干渉が発生するのを防止するためである。
【００６６】
後方放熱本体３１には、上述した複数の後方単位放熱体５０の結合部５１が結合される結合ホール３７が形成される。複数の後方単位放熱体５０の結合部５１は、後方放熱本体３１の結合ホール３７を貫通して第２発熱素子の少なくともいずれか１つの発熱面に密着して配置される。この時、結合部５１は、結合ホール３７にねじ締結方式で結合できる。
【００６７】
一方、本発明による多重入出力アンテナ装置１の一実施例において、送受信モジュール基板１１０は、図９Ａ〜図１０に示すように、複数の第２発熱素子の一部が実装され、後方放熱部３０の左側部位に上下方向に長く配置された第１送受信基板１１１と、複数の第２発熱素子の一部が実装され、後方放熱部３０の右側部位に上下方向に長く配置された第２送受信基板１１２と、複数の第２発熱素子の残りの一部が実装され、第１送受信基板１１１および第２送受信基板１１２の間に上下方向に長く配置された第３送受信基板１１３とを含むことができる。
【００６８】
第１送受信基板１１１と第２送受信基板１１２には、それぞれＦＰＧＡ１１５が上下方向に所定距離離隔して複数個備えられる。したがって、後方放熱本体３１の外側に結合される複数の後方単位放熱体５０の個数も、上述したＦＰＧＡ１１５の個数に対応して備えられる。
【００６９】
第３送受信基板１１３には、ＦＰＧＡ１１５のように比較的発熱量が多い通信部品を除いた残りの通信部品１１６が実装される。しかし、必ずしも、第１送受信基板１１１および第２送受信基板１１２にはＦＰＧＡ１１５のみが備えられるか、第３送受信基板１１３にはＦＰＧＡ１１５が備えられてはならないというわけではない。すなわち、ＦＰＧＡ１１５とこれを除いた残りの通信部品１１６は、放熱を考慮して、第１送受信基板１１１から第３送受信基板１１３のすべてに均衡あるように配置されてもよい。
【００７０】
本発明による多重入出力アンテナ装置１の一実施例では、比較的発熱量が多いＦＰＧＡ１１５の場合には、上述した後方単位放熱体５０によって個別的に放熱されるようにするとともに、ＦＰＧＡ１１５を除いた残りの通信部品１１６の場合、その基板面からの高さおよび形態が多様な理由から後方放熱本体３１に直接接触することが容易でないことから、第３送受信基板１１３の後面に集中して配置し、後方放熱本体３１に形成された後述する収容溝部３９にＦＰＧＡ１１５を除いた残りの通信部品１１６が収容されるように備えられた放熱構造を提案する。
【００７１】
より詳しくは、後方放熱本体３１には、図９Ａに示すように、第３送受信基板１１３の複数の第２発熱素子が収容される収容溝部３９が上下方向に長く形成される。
【００７２】
収容溝部３９は、後方放熱本体３１の前面から後面側に陥没して形成される。したがって、複数の後方メイン放熱フィン３３が形成された後方放熱本体３１の外側面（後面）には、図９Ａおよび図９Ｂに示すように、収容溝部３９が後方放熱本体３１の内側面から外側面に向かって突出して陥没形成された放熱排気リブ３６が備えられる。放熱排気リブ３６の形状およびその具体的な機能については後で詳しく説明する。
【００７３】
上述のように、収容溝部３９に収容された複数の第２発熱素子の一部から発熱した熱は、収容溝部３９の内側に集熱して後方放熱本体３１の放熱排気リブ３６または放熱排気リブ３６に連結された複数の後方メイン放熱フィン３３を介して外部に放熱される。
【００７４】
一方、放熱排気リブ３６は、三角形の頂点を有する水平断面を有するように形成される。ここで、複数の後方メイン放熱フィン３３は、放熱排気リブ３６の頂点まで延長形成される。より詳しくは、後方メイン放熱フィン３３のうち左側放熱フィン部３４は、その上端が放熱排気リブ３６まで延び、後方メイン放熱フィン３３のうち右側放熱フィン部３５は、その上端が放熱排気リブ３６まで延びる。
【００７５】
放熱排気リブ３６の後方放熱本体３１の外側に突出した高さが後方メイン放熱フィン３３部の高さと同一であると仮定する場合、後方メイン放熱フィン３３部の間を流動する放熱空気は上側に移動しながら放熱排気リブ３６に接し、放熱排気リブ３６に接した放熱空気は三角形の頂点に向かうように流動しながら外側空間に容易に排気される。
【００７６】
一方、本発明による多重入出力アンテナ装置１の一実施例は、図５Ａおよび図５Ｂに示すように、アンテナ基板１１の複数のアンテナ素子１３および送受信モジュール基板１１０の第１発熱素子を含む通信部品を信号連結する複数のＲＦエアライン１００をさらに含むことができる。
【００７７】
複数のＲＦエアライン１００は、一端がアンテナハウジング１０の後面に連結され、他端が前方放熱本体２１の前面に連結される。このような複数のＲＦエアライン１００を介して、アンテナ基板１１のアンテナ素子１３を含む通信部品と、送受信モジュール基板１１０のＲＦＩＣ１２５およびＦＰＧＡ１１５を含む通信部品との間の給電ラインが構築される。
【００７８】
図１１は、図１の構成のうち取付ブラケットの結合の様子を示す分解斜視図であり、図１２Ａおよび図１２Ｂは、取付ブラケットの構成のうち水平回動ブラケットと上下回動ブラケットによるロテーティングおよびティルティングの様子を示す平面図および側面図である。
【００７９】
本発明による多重入出力アンテナ装置１の一実施例は、図１〜図４および図１１に示すように、既存のアンテナ取付支柱への設置を介在する取付ブラケットをさらに含むことができる。
【００８０】
取付ブラケットは、図１〜図４に示すように、複数の後方単位放熱体５０それぞれに結合される放熱ブラケット６０と、放熱ブラケット６０に結合され、アンテナ取付支柱の固定点に対して上下方向に回動可能に備えられた上下回動ブラケット７０と、上下回動ブラケット７０に結合され、アンテナ取付支柱の固定点に対して水平方向に回動するように備えられた水平回動ブラケット８０と、一端は水平回動ブラケット８０に結合され、他端はアンテナ取付支柱に結合される支柱固定ブラケット９０とを含む。
【００８１】
一般的に、本発明の一実施例と比較されるアンテナ装置１として、上下方向に長く形成されたアンテナ装置１をアンテナ取付支柱に上下の長手方向に設ける場合、上下方向の長さが長く形成される全体的な製品の形状のため、１つの取付ブラケットのみへの均衡的な固定は事実上不可能である。
【００８２】
同時に、アンテナ装置１は、アンテナ取付支柱に設けられた後、アンテナ素子１３に／から照射される波長方向を調節するために角度調節が必要になる。ところが、上下方向に長く形成されたアンテナ装置１の場合には、１つの取付ブラケットのみで固定する場合、外部の風のような風圧による上端部または下端部の物理的な揺動を防止できなくなる。したがって、一般的に、アンテナ装置１のアンテナ取付支柱に対する固定は、複雑な取付ブラケットが動員されなければならない。
【００８３】
これに対し、本発明の一実施例による多重入出力アンテナ装置１に適用された取付ブラケットは、図１〜図４および図１１に示すように、図示しないアンテナ取付支柱に対して片持ち梁形状に備えられ、アンテナ装置１の一実施例を固定させることができる。
【００８４】
同時に、取付ブラケットの上下回動ブラケット７０、水平回動ブラケット８０、および支柱固定ブラケット９０をそれぞれに対して回動可能に備えることにより、上述したアンテナ装置１の角度調整が可能である。
【００８５】
仮に、図１２Ａに示すように、アンテナ装置１が放熱ブラケット６０を介在して上下回動ブラケット７０の先端に設けられた後、水平回動ブラケット８０が左右方向に水平回動する動作で水平方向の角度調整が可能であり、図１２Ｂに示すように、上下回動ブラケット７０が水平回動ブラケット８０に対して上下方向に垂直回動する動作で上下方向の角度調整が可能である。
【００８６】
一方、放熱ブラケット６０は、図１１に示すように、リング形状に形成され、上下回動ブラケット７０の取付面を提供する取付リング部６１と、取付リング部６１の外側面に放射状に延びるが、前記複数の後方単位放熱体５０に向かって延びた複数の固定部６３とを含むことができる。
【００８７】
ここで、取付リング部６１は、複数の固定部６３が後方放熱本体３１と結合される場合、アンテナ装置１の全体的な重量均衡のために、後方放熱本体３１の後面中間部分に位置できる。
【００８８】
同時に、固定部６３の外側面には、図１１の拡大図に示すように、複数の後方単位放熱体５０から伝達された熱を放熱させるように、複数の残熱放熱フィン６４が形成される。
【００８９】
複数の残熱放熱フィン６４は、複数の固定部６３の表面積を増加させることにより、第２発熱素子に伝達された後方単位放熱体５０の熱を効果的に放熱させることができる。
【００９０】
一方、上下回動ブラケット７０には、上下方向の回動をガイドする上下ガイドスロット７１が形成される。上下ガイドスロット７１には、水平回動ブラケット８０の前端部が相互組み合わされるように連結され、上下ガイドスロット７１は、水平回動ブラケット８０に対する上下回動ブラケット７０の上下水平移動をガイドする役割をする。
【００９１】
また、支柱固定ブラケット９０には、水平方向の回動をガイドする水平ガイドスロット９１が形成される。水平ガイドスロット９１には、水平回動ブラケット８０の後端部が相互組み合わされるように連結され、水平ガイドスロット９１は、支柱固定ブラケット９０に対する水平回動ブラケット８０の左右水平移動をガイドする役割をする。
【００９２】
以上の説明は、本発明の技術思想を例示的に説明したに過ぎず、本発明の属する技術分野における通常の知識を有する者であれば、本発明の本質的な特性を逸脱しない範囲で多様な修正および変形が可能であろう。
【００９３】
したがって、本発明に開示された実施例は、本発明の技術思想を限定するためではなく説明するためのものであり、このような実施例によって本発明の技術思想の範囲が限定されるものではない。本発明の保護範囲は以下の請求の範囲によって解釈されなければならず、それと同等の範囲内にあるすべての技術思想は本発明の権利範囲に含まれると解釈されなければならない。
【産業上の利用可能性】
【００９４】
本発明は、前面に複数のアンテナ素子が配列されたアンテナ基板と、前面に電気的駆動によって発熱する複数の第１発熱素子、および後面に電気的駆動によって発熱する複数の第２発熱素子が備えられ、前記アンテナ基板に対して離隔空間を有するように配置された送受信モジュール基板とを含む多重入出力アンテナ装置を提供する。
【符号の説明】
【００９５】
１：多重入出力アンテナ装置
５：レドーム
１０：アンテナハウジング
１１：アンテナ基板
１３：アンテナ素子
２０：前方放熱部
２１：前方放熱本体
２３：前方メイン放熱フィン
３０：後方放熱部
３１：後方放熱本体
３３：後方メイン放熱フィン
３６：放熱排気リブ
３７：結合ホール
３９：収容溝部
４０：前方単位放熱体
５０：後方単位放熱体
６０：放熱ブラケット
６１：取付リング部
６３：固定部
６４：残熱放熱フィン
７０：上下回動ブラケット
８０：水平回動ブラケット
９０：支柱固定ブラケット
１００：ＲＦエアライン
１１０：送受信モジュール基板
１１５：ＦＰＧＡ
１１６：残りの通信部品
【図１】
2021520140.tif 000003
【図２】
2021520140.tif 000004
【図３】
2021520140.tif 000005
【図４】
2021520140.tif 000006
【図５ａ】
2021520140.tif 000007
【図５ｂ】
2021520140.tif 000008
【図６】
2021520140.tif 000009
【図７】
2021520140.tif 000010
【図８】
2021520140.tif 000011
【図９ａ】
2021520140.tif 000012
【図９ｂ】
2021520140.tif 000013
【図１０】
2021520140.tif 000014
【図１１】
2021520140.tif 000015
【図１２ａ】
2021520140.tif 000016
【図１２ｂ】
2021520140.tif 000017
【手続補正書】
【提出日】令和2年10月9日(2020.10.9)
【手続補正１】
【補正対象書類名】図面
【補正対象項目名】全図
【補正方法】変更
【補正の内容】
【図１】
2021520140.tif 000018
【図２】
2021520140.tif 000019
【図３】
2021520140.tif 000020
【図４】
2021520140.tif 000021
【図５Ａ】
2021520140.tif 000022
【図５Ｂ】
2021520140.tif 000023
【図６】
2021520140.tif 000024
【図７】
2021520140.tif 000025
【図８】
2021520140.tif 000026
【図９Ａ】
2021520140.tif 000027
【図９Ｂ】
2021520140.tif 000028
【図１０】
2021520140.tif 000029
【図１１】
2021520140.tif 000030
【図１２Ａ】
2021520140.tif 000031
【図１２Ｂ】
2021520140.tif 000032
【国際調査報告】
2021520140.tif 000033
2021520140.tif 000034
2021520140.tif 000035
2021520140.tif 000036